(57)【要約】【課題】  シート状物を高速で、多数枚打ち抜いても切断刃の固定に緩みが生ぜず、正確な打ち抜きが可能な抜き型を提供すること、及びシート状物を打ち抜いて得られる製品と打ち抜き屑とが容易に分離でき、焼却処分しても、公害問題等が生じることのない抜き型を提供すること。【解決手段】  母材２，３中に切断刃１を取り囲む空間４を有し、ここに樹脂を充填、固化して切断刃１を固定した抜き型、及び空間４にガスを充填し、母材２に複数のガス流出孔を設けてガスを流出させ、製品と打ち抜き屑とが容易に分離できるようにした抜き型。【選択図】  図３
2005138267.tif 000002
【特許請求の範囲】
【請求項１】
所望の形状に細溝が形成され、その細溝に切断刃がはめ込まれた２枚の母材の少なくとも一方に該切断刃の周囲を包囲する形の樹脂充填室と、該樹脂充填室に連通する樹脂導入孔が形成され、該樹脂充填室に流動性の樹脂が充填、固化されたことを特徴とする抜き型。
【請求項２】
前記切断刃には、樹脂と接触する部分に凹部又は貫通孔が設けられている、請求項１に記載の抜き型。
【請求項３】
所望の形状に切断刃をはめ込むための細溝と、表面の複数のガス噴き出し孔と連通しガス導入口を有する噴き出しガス室を有する母材と、前記細溝にはめ込まれた切断刃とを有することを特徴とする抜き型。
【請求項４】
前記噴き出しガス室が、母材の溝にはめ込まれた、ガス噴き出し孔を開けた管により形成されていることを特徴とする請求項３に記載の抜き型。
【請求項５】
前記母材が所望の形状に切断刃をはめ込むための細溝が形成されている第一の母材と、第一の母材に形成された細溝と同じ形状に形成された細溝に沿って複数のガス噴き出し孔を有する第二の母材からなり、少なくとも一方の母材に切断刃と前記噴き出しガス室及びガス導入口が形成されていることを特徴とする請求項３に記載の抜き型。
【請求項６】
前記細溝のさらに内側に別の切断刃が前記第二の母材又は前記第一の母材と第二の母材との両方にはめ込まれている請求項５記載の抜き型。
【請求項７】
所望の形状に細溝が形成され、その細溝に切断刃がはめ込まれた２枚の母材の少なくとも一方に該切断刃の周囲を包囲する形の樹脂充填室と、該樹脂充填室に連通する樹脂導入孔が形成され、該樹脂充填室に流動性の樹脂が充填、固化されており、かつ、該樹脂充填室の内部に前記噴き出しガス室を有することを特徴とする請求項５又は６に記載の抜き型。
【請求項８】
前記切断刃には、樹脂と接触する部分に凹部又は貫通孔が設けられている、請求項７記載の抜き型。
【請求項９】
前記複数のガス噴き出し孔が、前記細溝に沿って該細溝の両側に設けられている請求項３〜８のいずれか一項に記載の抜き型。
【請求項１０】
前記母材がさらに表面の複数の吸引孔と連通し吸引口を有する吸引室を有することを特徴とする請求項３〜９のいずれか一項に記載の抜き型。
【請求項１１】
前記複数の吸引孔が、前記細溝に沿って前記複数のガス噴き出し孔よりも外側に設けられている請求項１０に記載の抜き型。
【請求項１２】
前記母材が多層構造を有し、噴き出しガス室と吸引室が別の層に設けられていることを特徴とする請求項１０又は１１に記載の抜き型。
【請求項１３】
前記吸引室が、母材の溝にはめ込まれた、吸引孔を開けた管により形成されていることを特徴とする請求項１０〜１２のいずれか一項に記載の抜き型。
【請求項１４】
前記樹脂の充填、固化が、上下プレス定盤の間で前記抜き型をプレスした状態で行われたことを特徴とする請求項１、２、７又は８に記載の抜き型。
【請求項１５】
前記細溝が、レーザー光線、エンドミル、ワイヤのいずれかにより形成されたものである請求項１〜１４のいずれか一項に記載の抜き型。
【請求項１６】
所望の形状に細溝が形成され、その細溝に切断刃がはめ込まれた２枚の母材の少なくとも一方に該切断刃の周囲を包囲する形の樹脂充填室と、該樹脂充填室に連通する樹脂導入孔を形成し、該樹脂充填室に流動性の樹脂を充填、固化することを特徴とする請求項１、２、７又は８に記載の抜き型の製造方法。
【請求項１７】
前記樹脂の充填、固化を、上下プレス定盤の間で前記抜き型をプレスした状態で行うことを特徴とする請求項１６に記載の抜き型の製造方法。
【発明の詳細な説明】
【技術分野】
【０００１】
本発明は、プラスチックシートや段ボールシートのようなシート状物を所望の形状に打ち抜くための抜き型と及び抜き型の製造方法に関する。
【背景技術】
【０００２】
図面をもとに従来の抜き型について説明する。
図１９は、従来の抜き型を示す斜視図であり、図２０（ａ）は、レーザー光線を用いて細溝を形成した場合の図１９のＹ，Ｙ線での拡大切断面図であり、図２０（ｂ）は、エンドミル、ワイヤを用いて細溝を形成した場合の図１９のＹ，Ｙ線での拡大切断面図である。従来、プラスチックシートや段ボールシートのようなシート状物を所望の形状に打ち抜くための抜き型としては、板状体（本明細書においては、「母材」という）、例えば、ベニヤ板などのような木製の合板、プラスチック製板、金属製板からなる母材２に貫通した細溝６を設け、その細溝６に切断刃（ビク刃）１をはめ込んで固定したものが使用されている（特許文献１参照）。１９は切断刃１の刃先である。母材２に細溝６を形成する手段としては、従来、糸鋸等が使用されていたが、近年レーザー光線によるレーザーカット法、エンドミルを用いるエンドミルカット法、ワイヤを用いるワイヤカット法等が採用されてきている。
【０００３】
上記糸鋸、レーザー光線、エンドミル、ワイヤなどにより母材に形成する細溝は、切断刃１をはめ込むために切断刃１の厚さよりやや幅広に形成されていた。そのため、このような細溝６に切断刃１をはめ込み固定したときには、シート状物を多数枚打ち抜くうちに切断刃の固定に緩みが生じてくることがわかった。特に、短い切断刃２０の部分、中でも真っ直ぐで短い切断刃２０の部分においてその傾向が大であることがわかった。また、レーザー光線を用いて母材２に細溝６を形成した場合には、図２０（ａ）に示すように、母材２の中央部の細溝６の幅が表面側、裏面側の細溝６の幅よりも広いため、切断刃の固定を母材２の表面側部分と裏面側部分とで行うことになり、一段とその影響を受けやすいものであった。また、図２０（ｂ）に示すように、細溝６に切断刃１をはめ込み固定する際に、その操作を容易にするために細溝６の幅を多少広めにとる場合にも、同様の問題があった。
上記のように、糸鋸やレーザー光線等を用いて母材に細溝を形成し、その細溝に切断刃をはめ込み固定することによって得られた抜き型を、段ボールシート等の打ち抜きに使用している場合には、それほどの精度の要求がなされていなかったこともあって、上記の事実があまり問題となることはなかった。しかしながら、電子部品などに用いられるプラスチックシートのような高度に正確な打ち抜きが要求されるシート状物の打ち抜きの場合には、高速で、多数枚打ち抜くうちに切断刃の固定に緩みが生じ、正確な打ち抜きができなくなることが、大きな問題となってクローズアップしてくることがわかった。
【０００４】
一方、抜き型によってシート状物から所望の形状の製品を打ち抜く場合、打ち抜き製品及び打ち抜き屑が切断刃１に密着し、特に、切断刃１に囲まれた打ち抜き製品、打ち抜き屑は、抜き型からの分離に手間取ることがある。そのため、従来の抜き型は、図２１に平面図で示されているように、切断刃１にそって、切断刃１の両側にゴム等の弾性体２１を設け、その弾性を利用して、シート状物を打ち抜いて得られる打ち抜き製品と打ち抜き屑とが容易に抜き型から分離できるようにしている。このような抜き型においては、打ち抜き製品に弾性体２１の跡（抜き跡）がついてしまうという問題があった。
【０００５】
また、このような抜き型を使用して多数枚の製品を打ち抜いていると、切断刃の刃先が丸まったり、損傷したりして、もはや抜き型として使用することが適当でなくなってくる。その段階で、その抜き型は、廃棄処分されることになる。
そして、上記のような抜き型の廃棄処分の一つの手段として、焼却による廃棄処分が行なわれているが、上記のように、抜き型には打ち抜いた製品及び打ち抜き屑を容易に抜き型から分離可能とするためにゴム等の弾性体が設けられている。そのため、そのような抜き型を焼却すると、ゴム等の弾性体から硫黄の酸化物、一酸化炭素等の有毒ガスや地球温暖化の原因となっている二酸化炭素等が発生し、環境問題を引き起こすことになる。
【０００６】
シート材の穴あけ加工においては、打ち抜きの次工程で上方からブロワーによる吸引や圧搾空気の吹き付けを行って打ち抜きカスを除去する方法が提案されている（特許文献２参照）が、製造工程が増える点で生産性を低下させるなど、まだ課題がある。
【０００７】
【特許文献１】特開平６−２２６４８２号公報（４頁図３及び３頁図４）
【特許文献２】特開２０００−１２２０２０号公報
【発明の開示】
【発明が解決しようとする課題】
【０００８】
そこで、本発明は、エンドミル等を用いて母材に細溝を形成し、その細溝に切断刃をはめ込み固定する形式の抜き型であって、シート状物を高速で、多数枚打ち抜いても切断刃の固定に緩みが生じず、正確な打ち抜きが可能な抜き型を提供することを第一の目的とする。
また、本発明は、シート状物を打ち抜いて得られる製品と打ち抜き屑とを製品に抜き跡を残すことなく容易に分離でき、しかも、上記のような焼却廃棄による環境問題を引き起こすことのない抜き型を提供することを第二の目的とする。
【課題を解決するための手段】
【０００９】
本発明者は、下記の構成を採用することにより前記の課題の解決を可能にした。
（１） 所望の形状に細溝が形成され、その細溝に切断刃がはめ込まれた２枚の母材の少なくとも一方に該切断刃の周囲を包囲する形の樹脂充填室と、該樹脂充填室に連通する樹脂導入孔が形成され、該樹脂充填室に流動性の樹脂が充填、固化されたことを特徴とする抜き型（以下、第一の抜き型という）。
（２）前記切断刃には、樹脂と接触する部分に凹部又は貫通孔が設けられている、（１）に記載の抜き型。
（３）所望の形状に切断刃をはめ込むための細溝と、表面の複数のガス噴き出し孔と連通しガス導入口を有する噴き出しガス室を有する母材と、前記細溝にはめ込まれた切断刃とを有することを特徴とする抜き型（以下、第二の抜き型という）。
（４）前記噴き出しガス室が、母材の溝にはめ込まれた、ガス噴き出し孔を開けた管により形成されていることを特徴とする（３）に記載の抜き型。
（５）前記母材が所望の形状に切断刃をはめ込むための細溝が形成されている第一の母材と、第一の母材に形成された細溝と同じ形状に形成された細溝に沿って複数のガス噴き出し孔を有する第二の母材からなり、少なくとも一方の母材に切断刃と前記噴き出しガス室及びガス導入口が形成されていることを特徴とする（３）に記載の抜き型。
（６）前記細溝のさらに内側に別の切断刃が前記第二の母材又は前記第一の母材と第二の母材との両方にはめ込まれている（５）記載の抜き型。
【００１０】
（７）所望の形状に細溝が形成され、その細溝に切断刃がはめ込まれた２枚の母材の少なくとも一方に該切断刃の周囲を包囲する形の樹脂充填室と、該樹脂充填室に連通する樹脂導入孔が形成され、該樹脂充填室に流動性の樹脂が充填、固化されており、かつ、該樹脂充填室の内部に前記噴き出しガス室を有することを特徴とする（５）又は（６）に記載の抜き型（以下、第三の抜き型という）。
（８）前記切断刃には、樹脂と接触する部分に凹部又は貫通孔が設けられている、（７）記載の抜き型。
（９）前記複数のガス噴き出し孔が、前記細溝に沿って該細溝の両側に設けられている（３）〜（８）のいずれか一項に記載の抜き型。
（１０）前記母材がさらに表面の複数の吸引孔と連通し吸引口を有する吸引室を有することを特徴とする（３）〜（９）のいずれか一項に記載の抜き型（以下、第四の抜き型という）。
（１１）前記複数の吸引孔が、前記細溝に沿って前記複数のガス噴き出し孔よりも外側に設けられている（１０）に記載の抜き型。
（１２）前記母材が多層構造を有し、噴き出しガス室と吸引室が別の層に設けられていることを特徴とする（１０）又は（１１）に記載の抜き型。
（１３）前記吸引室が、母材の溝にはめ込まれた、吸引孔を開けた管により形成されていることを特徴とする（１０）〜（１２）のいずれか一項に記載の抜き型。
（１４）前記樹脂の充填、固化が、上下プレス定盤の間で前記抜き型をプレスした状態で行われたことを特徴とする（１）、（２）、（７）又は（８）に記載の抜き型。
（１５）前記細溝が、レーザー光線、エンドミル、ワイヤのいずれかにより形成されたものである（１）〜（１４）のいずれか一項に記載の抜き型。
（１６）所望の形状に細溝が形成され、その細溝に切断刃がはめ込まれた２枚の母材の少なくとも一方に該切断刃の周囲を包囲する形の樹脂充填室と、該樹脂充填室に連通する樹脂導入孔を形成し、該樹脂充填室に流動性の樹脂を充填、固化することを特徴とする（１）、（２）、（７）又は（８）に記載の抜き型の製造方法。
（１７）前記樹脂の充填、固化を、上下プレス定盤の間で前記抜き型をプレスした状態で行うことを特徴とする（１６）に記載の抜き型の製造方法。
なお、「切断刃を包囲する」樹脂充填室又は噴出しガス室の形状には、図５（ａ）（ｂ）に示すような切断刃の両側を包囲する形も、図５（ｃ）に示すような切断刃の片側を包囲する形も含まれる。
【発明の効果】
【００１１】
本発明の第一の抜き型は、所望の形状に細溝が形成され、その細溝に切断刃がはめ込まれた２枚の母材により、該切断刃の周囲を包囲する形で樹脂充填室が形成され、該樹脂充填室に流動性の樹脂が充填、固化されることにより、切断刃が、所望の形状に正確に固定され、シート状物を高速で、多数枚打ち抜いても、正確に打ち抜くことが可能になるという優れた効果を奏する。
また、切断刃として、樹脂と接触する部分に凹部又は貫通孔を少なくとも一つ有する切断刃を使用することにより、切断刃が母材に所望の形状に一段と正確、かつ強固に固定されることが可能となる。
さらに、樹脂の充填、固化を、上下プレス定盤間でプレスした状態で行うことにより、切断刃の刃先が水平に揃った状態で固定され、より正確な打ち抜きが可能になる。
本発明の第二の抜き型は、抜き型母材中に空間部を形成し、その空間部から抜き型上方にガスを噴出させるように構成することにより、打ち抜き製品と打ち抜き屑とを抜き型から浮き上がらせ、容易に抜き型と分離することが可能となる。そのため、打ち抜き製品に抜き跡が残らない。この機構は母材そのものの成形によって設けるか、あるいは母材から簡単に取り外せる管を用いたものであるため、切断刃の刃先が丸くなったり、破損したりして、抜き型としての継続使用が不可能になって焼却処分をすることになっても、ゴム等の弾性材が原因となっていた硫黄の酸化物、一酸化炭素等の有毒ガスや地球温暖化の原因となっている二酸化炭素等の発生がなく、環境問題を引き起こすこともないという優れた効果を奏するものである。
本発明の第一の抜き型及び上記（５）に記載された構成の第二の抜き型は、２枚の母材のみで樹脂またはガスを充填する空間を形成するように構成されているため、廉価かつ簡便に製造できる。
本発明の第三の抜き型は、上記樹脂充填室の内部にさらに空間部を有し、その空間部から抜き型上方にガスを噴出させるように構成することにより、切断刃が所望の形状に正確に固定されている上に、打ち抜き製品と打ち抜き屑とを抜き型から浮き上がらせ、容易に抜き型と分離することが可能である。
本発明の第四の抜き型によれば、第二の抜き型のガスを噴出させる機構に加え、さらに母材に吸引室となる空間部を形成し、ガスを噴出している位置とは別の位置で吸引孔から吸引を行うので、打ち抜き製品と抜き型の分離が一層容易になる。
【発明を実施するための最良の形態】
【００１２】
本発明は、所望の形状に細溝を形成した母材の細溝に切断刃をはめ込んだ形式の抜き型であって、第一の抜き型は、切断刃を母材に対して正確に、固定することにより、多数のシート状物を打ち抜いても切断刃が緩むことの無いようにした抜き型である。
第一の抜き型の母材としては、どのような材料から形成された板状体でも良いが、合成樹脂により形成された板状体が好ましい。合成樹脂としては、例えば、アクリル樹脂、ＰＥＴ（ポリエチレンテレフタレート）、塩化ビニル樹脂などを挙げることができる。
木製の板状体や薄い木製のシート状物を数枚積層した板状体、例えば、ベニヤ板でも良い。
また、多くの枚数を打ち抜く場合、やや固い材質のものを打ち抜く場合などには、薄い金属製の板状体を使用することもできる。
板状体は、２枚使用するので、あまり厚くないもので良く、６〜８ｍｍ程度の厚さのもので良い。
なお、本発明の抜き型はいずれも母材の厚さを調節することにより、高さの高い切断刃を使用する抜き型から低い切断刃を使用する抜き型まで、広く適用することが可能である。
【００１３】
板状体への細溝の形成は、公知のいずれの方法で形成しても良いが、マシニング機械によるエンドミル加工で行うのが好ましい。図２０（ｂ）に示されているように、細溝６に切断刃１をはめ込み固定する際に、その操作を容易にするために細溝６の幅を多少広めにとる場合に、本発明の効果が、特に顕著である。
【００１４】
板状体の細溝にはめ込まれる切断刃は、通常この種の抜き型に使用されている切断刃が使用可能である。切断刃は、金属性で、薄く細長い帯状体で、長さ方向の一辺に刃部が形成されているものを、適宜の長さに切断し、直線状で、あるいは曲げ加工されて使用される。
切断刃、樹脂との一体化を良くし、それらの間での相対的なズレが生じないようにするために、切断刃の刃部の下方で、２枚の母材間に位置している部分（即ち、樹脂と接する部分）に凹部又は貫通孔が少なくとも一つ設けられていることが好ましい。
【００１５】
樹脂充填室と、該樹脂充填室に連通する樹脂導入孔は、２枚の母材の少なくとも一方に形成され、２枚の母材は、切断刃がはめ込まれた状態で、ネジや釘のような固着材または接着剤により固定される。より正確に固定するために、それぞれの母材に位置決め用孔を設け、ここに位置決め用ピンを挿入して固定してもよい。この構成は以下の第二〜第四の抜き型においても同様に採用できる。
樹脂導入孔は樹脂を充填するための孔であり、少なくとも一つ設けられる。樹脂充填室及び樹脂導入孔の高さは、狭いほうが好ましいが、充填する樹脂の流動性を考慮すると、４〜８ｍｍ、好ましくは、６ｍｍ程度である。勿論、充填する樹脂として、流動性の良い樹脂を使用する場合には、４ｍｍ以下とすることもできる。
【００１６】
樹脂充填室に充填される樹脂は、熱可塑性のものでも熱硬化性のものでも用いることができ、固化の際には体積変化の小さい樹脂であればいかなるものでも良いが、常温（室温）で流動性（樹脂導入孔を通して容易に流し込みが可能な状態）があり、固化の際に体積変化の小さい樹脂であることが好ましい。室温で流動性があり、固化の際に体積が僅かに膨張する樹脂であることが最も好ましい。
樹脂充填室に充填される樹脂としては、例えば、エポキシ樹脂、ウレタン樹脂フェノール樹脂、メラミン樹脂、ポリイミド樹脂、シリコーン樹脂などが挙げられる。
なお、樹脂以外でも、室温で流動性があり、樹脂充填室に充填、固化して切断刃の固定を行えるものであれば、上記樹脂と同様に使用することができる。
【００１７】
以下において、本発明の第一の抜き型を図面をもとに詳細に説明するが、勿論、本発明は、以下の記載によって限定解釈されるものではない。
図１は、本発明の抜き型により打ち抜かれたシート状物を示す図であり、図２は、本発明の抜き型にはめ込まれる前の所望の形状に配置された状態の切断刃（凹部を有するものの例）を示す図であり、図３は、本発明の第一の抜き型を示す斜視図であり、図４（ａ）は下側の母材３の斜視図であり、図４（ｂ）は上側の母材２を裏返した状態の斜視図であり、図５（ａ）は、図３のＸ，Ｘ線での切断面図である。図５（ｂ）及び（ｃ）は、樹脂充填室を別の形にした例の切断面図である。
【００１８】
図３〜図５において、２，３は、母材であり、該母材にはエンドミルなどにより図１に示すような所望のシート状物Ａの形状に対応して形成された細溝６に、図２に示されているような形状の切断刃１がはめ込まれる。２枚の母材２，３に切断刃１の周囲を包囲する形、例えば、図４（ａ），（ｂ）に示されているように、それぞれに細溝６に沿った太い溝が形成されることにより樹脂充填室４が形成される。母材２、３の少なくとも一つには流動性の樹脂５を充填するための孔７が少なくとも一つ設けられている。他に孔７’を設けて、樹脂流出と脱気用として作用させることもできる。流動性の樹脂は、樹脂充填室に充填され、脱気された後に、含有されている硬化剤の作用により硬化される。樹脂充填室４は図４に示すように、切断刃に沿った溝の形状が好ましい。使用する樹脂の量が少なくてすみ、また、樹脂の収縮の影響も小さくなるためである。さらにこの形状は、細溝６の内側を全部樹脂充填室として空洞にしてしまう形状と比較すると、切断刃１をはめ込む前の母材２の細溝６の内側部分の強度が高い点でも好ましい。母材２の細溝６の内側部分の下全体に樹脂充填室の空洞があると、切断刃１をはめ込む前に母材２の細溝６の内側部分が陥没したりブリッジが折れたりする可能性があるが、図４に示されるような形状の樹脂充填室であればこのようなことが起こる可能性は非常に少ない。また、切断刃１をはめ込むときに母材２の細溝６の内側部分が動きにくく、切断刃１の水平度を保ってはめ込むことができ、刃先寸法について高い精度が出せる。
切断刃として、樹脂と接触する部分に凹部又は貫通孔を少なくとも一つ有する切断刃を使用することにより、切断刃と樹脂とがしっかりと一体化、固定され、切断刃が母材に対し所望の形状に一段と正確、かつ強固に固定されることが可能となる。また、このような構造にすることにより、流動性の樹脂が、多少収縮性であっても切断刃が母材に対し所望の形状に正確、かつ強固に固定されることが可能となる。
なお、図１２には、母材２、３に位置決め用孔２３を設け、そこに位置決め用ピン２２を通して両母材２、３を正確に位置決め、固定する構成の説明図を示した。
【００１９】
本発明の第一の抜き型は、どのような方法で製造しても良いが、例えば、所望の形状に細溝と樹脂充填室及び樹脂導入孔となる太い溝を形成した２枚の母材を用意し、太い溝のある面を合わせた２枚の母材の細溝に切断刃をはめ込み、固定して樹脂充填室を形成し、樹脂充填室に流動性の樹脂を充填し、固化することにより製造することができる。
また、図６（ａ）に示すように抜き型８を上下のプレス定盤９、１０の間に配置し、図６（ｂ）に示すようにプレス定盤９、１０で切断刃１の高さａと同じ間隔にプレスした状態で、樹脂充填室に流動性の樹脂を充填し、固化することが好ましい。このようにすることで、樹脂充填、固化の際の切断刃１の刃先のブレが防止でき、刃先が水平に揃った状態で樹脂による固定が行われるためである。
【００２０】
次に本発明の第二の抜き型について説明する。
本発明の第二の抜き型には、所望の形状に切断刃をはめ込むための細溝と、必要な溝、もしくは空間部及びそれに連通する孔が形成されている母材が使用される。
母材は、どのような材料から形成された板状体でも良いが、木製の板状体や薄い木製のシート状物を数枚積層した板状体、例えば、ベニヤ板が好ましい。
焼却処分しないのであれば合成樹脂により形成された板状体でも良い。合成樹脂としては、例えば、アクリル樹脂、ＰＥＴ（ポリエチレンテレフタレート）、塩化ビニル樹脂などを挙げることができる。
母材となる板状体は必要に応じ多層構造とし、各層で必要な空間部などを形成したのち接着、一体化したものを使用することもできる。
板状体の厚さは、切断刃の高さ、材質、大きさ等により適宜に決められるが、特に限定されるものではない。例えば、４〜２０ｍｍ程度の厚さのもので良い。
【００２１】
母材には、切断刃をはめ込むための細溝が設けられる。細溝の形状は、所望の打ち抜きの形をしており、糸鋸、レーザー光線、エンドミル、ワイヤなどで形成して良い。
ワイヤによる細溝の形成は、公知の種々のワイヤによる加工（切断等）手段を採用することにより行うことができる。例えば、三菱ワイヤ放電加工機ＤＩＡＸ（三菱電機会社製）等を用いることもできる。
勿論、母材の細溝は、他の手段、例えば、ウォータージェット等により形成しても良い。
細溝に切断刃をはめ込む際に容易にはめ込めるように、細溝の幅を多少幅広に、形成することもできる。
【００２２】
本発明の第二の抜き型は、抜き型自体に、ガス（空気等）圧を利用して打ち抜き製品と打ち抜き屑とを抜き型から浮き上がらせる機構を設けたことを特徴とする。
この機構は、母材に噴き出しガス室となる空間部を形成し、そこに連通するガス噴き出し孔をあけて、そこからガスを噴出させるものである。噴き出しガス室等の形成は、例えば母材を多層構造にし、そのうちの１層にガス室となる溝を、好ましくは切断刃をはめ込む細溝を取り囲む、もしくは細溝に沿った形に形成し、他の層を接着して、表面からこの溝に通ずる複数の孔を開けて、噴き出しガス室に導入したガスが噴出するようにすることができる。
噴き出しガス室の形状は、ガス導入口が設けられていれば特に制限はなく、角筒状、円筒状など、種々の形状を採用しうる。
【００２３】
また、所望の形状に切断刃がはめ込まれた母材の表面に形成された溝に、ガス噴き出し孔を有する管を着脱自在にはめ込み、管に形成したガス導入孔からガスを導入し、これをガス噴き出し孔から上向きに噴き出させ、打ち抜き製品と打ち抜き屑とを抜き型から浮き上がらせる構成とすることもできる。管は、上記切断刃が細溝にはめ込まれたのち、溝にはめ込まれる。
管は、溝に着脱自在にはめ込めるものであればいかなるものでもよく、例えば塩化ビニルなどのチューブを使用することができる。管の形状は例えば円筒状、角柱状などを採用することができる。管は１本のみでも、２本以上を用いてもよい。
このとき、管はしっかりはめ込まれていれば固定しなくてもよいが、必要に応じビスによって着脱できる留め具によって適当な箇所で固定してもよいし、簡単にはがれる程度に接着してもよい。
上記の管は、母材上部から着脱自在に溝にはめ込まれているため、抜き型廃棄時には、切断刃とともに、取り外すことができる。母材がベニヤなどの焼却可能な材質である場合、管は取り外して焼却できるので、有害なガスの発生が防止できる。
【００２４】
ガス室となる溝、もしくは管をはめ込むための溝の形成は、エンドミルなどの公知の手段で行うことができる。
管もしくは母材に複数のガス噴き出し孔が形成される。特に、切断刃が直線である部分以外の部分、即ち、角や湾曲している部分に設けることが好ましい。
【００２５】
ガス噴き出し孔は、公知の穿孔手段により形成されて良く、特に限定されるものではない。エンドミルやレーザー光線等により形成されても良い。
ガス噴き出し孔の大きさは、ガス噴き出し孔の数やその間隔、打ち抜き製品の大きさや厚さ、導入ガス圧などを考慮して決められるが、例えば、直型０．５〜２ｍｍ程度とすることができる。
【００２６】
母材の細溝にはめ込まれる切断刃は第一の抜き型と同様、通常この種の抜き型に使用されている切断刃が使用可能である。切断刃は、金属性で、薄く細長い帯状体で、長さ方向の一辺に刃部が形成されているものを、適宜の長さに切断し、直線状で、あるいは曲げ加工されて使用される。切断刃には、通常の切断刃の他、厚みの半分だけ切断する半切れやミシン目に切るミシン刃、折り曲げ線をつける罫線なども含まれる。これらのうちから二以上の切断刃を設けることもできる。
また、母材の細溝には、一部切断刃に代えて押罫をはめ込むこともできる。
【００２７】
切断刃の両側にわたって複数の噴き出しガス室を設ける場合や、切断刃の内側のみに噴き出しガス室を設ける場合、切断刃の刃部の下方で、母材内に位置する部分に凹部又は貫通孔が少なくとも一つ設けられる。この凹部又は貫通孔の位置で、切断刃の内側と外側のガス室を連通させたり、内側のガス室と母材のガス導入口とを連通させたりすることができる。
【００２８】
以下に、所望の形状に切断刃がはめ込まれた二枚の母材（上部の母材には切断刃に沿って複数のガス噴き出し孔が形成されている）の少なくとも一方に切断刃とガス噴き出し孔を包囲する形の空間部（噴き出しガス室）が形成され、その噴き出しガス室に連通するように設けられたガス導入口からガスを導入し、ガス噴き出し孔からガスを噴き出させ、打ち抜き製品と打ち抜き屑とを抜き型から浮き上がらせる構成のものについて説明する。
【００２９】
二枚の母材を有する（母材が２層構造を有する）構成の本発明の第二の抜き型には、所望の形状に切断刃をはめ込むための細溝が形成されている第一の母材（下母材）と、第一の母材に形成された細溝と同じ形状に形成された細溝に沿って複数のガス噴き出し孔を有する第二の母材（上母材）とが使用される。
各母材の材料や厚さは、第一の抜き型と同様である。
各母材に切断刃をはめ込むための細溝が設ける方法についても、第一の抜き型と同様である。
【００３０】
この第二の抜き型では、上方の母材（第二の母材）に、少なくとも細溝に沿って、好ましくは、細溝に沿って細溝により近い位置に、複数のガス噴き出し孔が形成される。細溝により囲まれている部分の中央部やその回りにも形成されていてもよい。特に、細溝が直線である部分以外の部分、即ち、角や湾曲している部分に設けることが好ましい。
ガス噴き出し孔は、公知の穿孔手段により形成されて良く、特に限定されるものではない。エンドミルやレーザー光線等により形成されても良い。
ガス噴き出し孔の大きさは、ガス噴き出し孔の数やその間隔、打ち抜き製品の大きさや厚さ、導入ガス圧などを考慮して決められるが、例えば、直径０．５〜２ｍｍ程度とすることもできる。
【００３１】
板状体の細溝にはめ込まれる切断刃は先に説明したと同様のものが使用できる。
切断刃には、後述する空間部に導入されるガスが空間部内を自由に流通することができるように、切断刃の刃部の下方で、２枚の母材間に位置する部分に凹部又は貫通孔が少なくとも一つ設けられる。
母材の細溝には、一部切断刃に代えて押罫をはめ込むこともできる。
【００３２】
この第二の抜き型で形成される空間部（噴き出しガス室）は、少なくとも一方の母材に形成され、２枚の母材で切断刃と第二の母材に形成されたガス噴き出し孔を包囲する形の空間部（噴き出しガス室）を形成するものである。また、空間部（噴き出しガス室）が形成された母材には、空間部（噴き出しガス室）に連通する少なくとも一つのガス導入口が設けられている。
【００３３】
空間部（噴き出しガス室）は、２枚の母材内に配置され、２枚の母材が一体となったときに、２枚の母材にはめ込まれた切断刃と第二の母材に形成されたガス噴き出し孔を包囲する形の空間部（噴き出しガス室で、好ましくは、密閉空間部）を形成するものであれば、如何なる形でも良い。例えば、２枚の母材のそれぞれが、２枚の母材にはめ込まれた切断刃と第二の母材に形成されたガス噴き出し孔を包囲する形にくりぬかれた部分（空間部を形成する部分）を有し、その少なくとも一辺に少なくとも一つのガス導入口を有するものであることが好ましいが（図７〜９を参照）、２枚の母材が一体となったときに第二の母材に形成されたガス噴き出し孔を包囲する形の空間部（噴き出しガス室）を形成するものであれば、空間部（噴き出しガス室）の形状は、四角形に限らず、三角形のものでも良いし、他の多角形のものでも、円形でも良い。
また、打ち抜き製品と打ち抜き屑とを抜き型から浮き上がらせ、分離後に空間部内のガスを排出しやすいように、ガス排出口を設けることもできる。
空間部（噴き出しガス室）の高さは、母材の材質、大きさ等により決められ、特に限定されるものではないが、好ましくは、１８ｍｍ程度の厚さの板状体を母材としたとき９ｍｍ程度である。勿論、４ｍｍ以下とすることもできる。
また、この第二の抜き型においては、上記細溝のさらに内側に別の切断刃が前記第二の母材又は前記第一の母材と第二の母材との両方にはめ込まれている抜き型とすることができる。このときの内側の切断刃には、外側の通常の切断刃と同じものの他、厚みの半分だけ切断する半切れやミシン目に切るミシン刃、折り曲げ線をつける罫線なども含まれる。このような構成は、第一の抜き型においても同様に採用することができる。
【００３４】
以下において、二枚の母材を有する構成の本発明の第二の抜き型を図面をもとに詳細に説明するが、勿論、本発明は、以下の記載によって限定解釈されるものではない。
図７は二枚の母材を有する構成の本発明の第二の抜き型の一例を示す斜視図であり、図８（ａ），（ｂ）は、この第二の抜き型を構成する第一の母材及び第二の母材を示す斜視図であり、図９（ａ）は、図７のＸ，Ｘ線での切断面図である。空間部（噴き出しガス室）１４の形状は特に制限はなく、種々の形状をとることができ、図９（ａ）で示したと別の形の例を図９（ｂ）に示した。
図１０は二枚の母材を有する構成の本発明の第二の抜き型の他の一例を示す断面図であり、切断刃１の内側に別の切断刃１’が設けられている例である。上述のように刃先１９’は外側の切断刃１の先端１９と同様の完全に切断する刃先でなくてもよい。内側の切断刃１’は外側の切断刃１と同様に細溝６’にはめ込まれている。
【００３５】
図７及び図８（ａ）において、１３は、第一の母材で、例えば、ベニヤ板などの木製の四角い板状体からなり、所望の打ち抜き製品の形状に切断刃をはめ込むための細溝６及び空間部（噴き出しガス室）１４とそれに連通するガス導入口１７の一部となる溝が形成されている。
【００３６】
図８（ｂ）は、第二の母材１２を裏返した状態の斜視図で、例えば、ベニヤ板などの木製の四角い板状体からなり、第一の母材１３に形成されている細溝６と同形状の切断刃をはめ込むための細溝６及び空間部（噴き出しガス室）１４とそれに連通するガス導入口１７の一部となる溝が形成されている。また、第二の母材１２には、打ち抜き後の打ち抜き製品と打ち抜き屑とを抜き型から浮き上がらせるために、細溝６に沿って細溝６の両側に空間部１４からのガスを噴き出すためのガス噴き出し孔１８が複数個設けられている。
ガス噴き出し孔１８は、縦、横に間隔をおいて複数個形成させることも可能である。ガス噴き出し孔１８は、特に、角のある部分に設けることが好ましい。ガス噴き出し孔１８は、細溝６に沿って細溝６の片側だけに設けることもできる。
ガス噴き出し孔１８の形状は、特に特定されるものではなく、円形、多角形、楕円形など、いずれの形状でも良く、また、一種類の形状でなくとも良い。
なお、細溝６に囲まれている領域の中央部において、ガス噴き出し孔１８で発生する上向きの力とは逆の、下向きの力がかかるようにすると、打ち抜き製品と打ち抜き屑が抜き型からより浮き上がりやすくなる。例えば噴き出しガス室の中央部を仕切って吸引用の空間を設け、ここにあけた孔から吸引を行ったり、着脱自在のゴム吸引具を用いたりする方法がある。（後述する本発明の第四の抜き型は、この一例である。）
【００３７】
二枚の母材を有する構成の本発明の第二の抜き型は、例えば、次のようにして作製される。
即ち、所望の形状に細溝６が形成され、場合によっては空間部（噴き出しガス室）１４とガス導入口１７が形成された第一の母材１３の上に、第一の母材１３に形成されている細溝６と同形状の細溝６が形成され、場合によっては空間部（噴き出しガス室）１４及びガス導入口１７と、多数のガス噴き出し孔１８が形成された第二の母材１２が接着剤などにより接着固定される。そして、２枚の母材１２，１３には、例えば下部に凹部を有する切断刃１の刃先１９が第二の母材１２の上方に位置するようにはめ込まれる。このようにして、２枚の母材１２，１３により空間部１４が形成される。空間部１４にガスを導入するために母材１２及び／又は１３の一辺には空間部１４と連通しているガス導入口１７が設けられている。
空間部１４は、ガス噴き出し孔１８及びガス導入口１７をふさいだ場合に完全に密閉されていることが好ましいが、打ち抜き製品と打ち抜き屑とを抜き型から浮き上がらせることができれば、必ずしも完全密封の状態でなくとも良く、ガス噴き出し孔１８からある程度のガスが噴出される程度であっても良い。
【００３８】
次に、本発明の第二の抜き型において、噴き出しガス室１４を管を使用して形成した例を図面を参照して説明する。
この例における切断刃は、上記の例と同様に図２に示したようなものが使用できる。図１６は本発明の第二の抜き型の他の一例の斜視図であり、図１７は切断刃と管を取り外した母材２の斜視図であり、図１８（ａ）は図１６のＸ，Ｘ線での断面図である。
【００３９】
図１６〜１８において、２は母材で、例えば、ベニヤ板などの木製の四角い板状体からなり、所望の打ち抜き製品の形状に切断刃をはめ込むための細溝６が形成され、更に細溝６にはめ込まれた切断刃１の両側に２本の角柱状の管１５をはめ込むための溝３８が形成されている。噴き出しガス室１４は管１５内の空間として形成されている。管１５にはそれぞれ上向きのガス噴き出し孔１８と、母材２の外側へ向いたガス導入孔３７が開けられており、切断刃１の外側の管１５のガス導入孔３７は母材２のガス導入口１７と連通している。切断刃１の内側の管１５は切断刃１の凹部にあたる位置にガス導入孔３７を有し切断刃の外側の管１５の孔と連通している（図示しない）。
この抜き型においても使用時にはガス導入口１７にプラグ等が差し込まれ、ガス（空気等）の供給が行われる。
【００４０】
図１８（ｂ）は管１５を円筒状のものとした別の一例を示す断面図である。
また、図１８（ｃ）は止め具３９を設けた状態を示す一部断面斜視図であり、止め具３９はビス４０で母材２に取り付けられている。止め具３９は好ましくは切断刃１の内側に適宜数箇所設ける。これにより、管１５が溝３８内に固定される。止め具３９とビス４０は銅、ステンレス、鉄などの金属や合板、木材などを用いることができ、管１５や切断刃１と同様に母材２から取り外しが可能である。
【００４１】
なお、この例において、後述する第四の抜き型と同様に吸引室及び吸引孔を設けることは可能である。このとき、母材２を多層構造にすることも可能であるし、また、吸引室を管を使って形成することも可能である。また、焼却処分しない層については、溝３８を太めに形成し、管１５を樹脂で固定して噴き出しガス室１４の大きさを調整する方法をとることもできる。
【００４２】
本発明の第二の抜き型を使用して、大きなシート状物（例えば、段ボール紙）から所望の形状の製品（箱等の展開した形）を打ち抜いた後に、ガス（空気等）を供給するプラグ等を抜き型のガス導入口１７に差し込んで、ガスを抜き型の空間部１４に供給し、多数のガス噴き出し孔１８からガスを噴き出させ、打ち抜き製品と打ち抜き屑とを抜き型から浮き上がらせ、容易に抜き型から分離することができるようにすることができる。
なお、打ち抜き屑が、抜き型から容易に浮き上がるようにするために、母材にはめ込まれた切断刃１の外側に形成されているガス噴き出し孔１８のさらに外側に、それらのガス噴き出し孔１８を包囲する形で押罫等（図示されていない）を設けても良い。
また、上記のように、ガス導入口１７からガス噴き出し孔１８へのガスの供給が、空間部１４を経て行なわれるようにする代わりに、ガス導入口１７とガス噴き出し孔１８とを繋ぐ複数本のパイプを通してなされるようにしても良い。
【００４３】
さらに、本発明の第三の抜き型として、図１１（ａ）及び（ｂ）に断面図で模式的に示したように、樹脂充填室４内にガス噴き出し孔１８に連通する空間部１４を有し、上記第一の抜き型と第二の抜き型の両者を特徴を有するものがある。樹脂充填室４内で空間部１４を仕切る管１５は、所望の形状に変形でき、ガス噴き出し孔１８をあけるときに穿孔可能な素材であればよく、例えば塩化ビニルなどがあげられる。樹脂充填室は図３に示したと同様に樹脂導入孔７及び樹脂やガスの出口７’と連通しており、空間部１４は図７に示したと同様にガス導入口１７と連通している。
第三の抜き型の製造方法は特に制限はないが、例えば切断刃１を第一の母材１３の溝６に嵌入し、樹脂充填室４内に空間部１４を形成させる管１５を固定した状態で第一の母材１３と第二の母材１２を合わせる。このとき切断刃１の刃先は第二の母材１２の上方に出た状態になる。このようにして形成した樹脂充填室４内に樹脂５を充填、固化させた後、第二の母材１２の所望の箇所にガス噴き出し孔１８を、空間部１４に連通させて穿孔する方法があげられる。このときの樹脂５の充填、固化は、第一の抜き型について図６を参照して説明したと同様に、上下のプレス定盤間に抜き型を配置し、切断刃１の高さａにプレスした状態で行うのが好ましい。
【００４４】
次に本発明の第四の抜き型について説明する。
本発明の第四の抜き型には、所望の形状に切断刃をはめ込むための細溝と、必要な溝、もしくは空間部及びそれに連通する孔が形成されている母材が使用される。
母材の材質や厚さ、使用しうる切断刃や細溝、溝の形成については、第二の抜き型の説明においてあげたと同様である。
【００４５】
本発明の第四の抜き型は、第二の抜き型と同様に、抜き型自体に、ガス（空気等）圧を利用して打ち抜き製品と打ち抜き屑とを抜き型から浮き上がらせる機構を設けたことを特徴とする。さらに、本発明の第四の抜き型の母材には、表面の複数の吸引孔と連通する吸引室を設け、吸引室に通ずる吸引口から吸引を行う機構を有する。
ガス噴き出しの機構は、第二の抜き型について説明したと同様である。
【００４６】
さらに、本発明の第四の抜き型の母材は、表面の複数の吸引孔と連通する吸引室を設け、吸引室に通ずる吸引口から吸引を行う機構を有する。
吸引室は噴き出しガス室と同様、母材を多層構造にして、そのうちの一層（噴き出しガス室のある層とは別の層）に溝を形成して他の層を接着し、表面からこの溝に通ずる吸引孔をあけることで吸引室としてもよいし、第二の抜き型の噴き出しガス室について説明したと同様の管を使用して吸引室を形成してもよい。
また、吸引孔が穴あけ用の刃（丸、楕円、四角など、種々の形状の穴をあけるための切断刃）の内部が吸引孔になるよう、吸引口と吸引室を形成してもよい。この場合、穴あけ刃内の抜きカスが吸引室に吸い込まれて除去され、吸引口から取り出されるという効果を奏する。この場合の母材の吸引孔の大きさは、開けようとする穴（穴あけ刃の内部の穴）よりも大きくすると、抜きカスがスムーズに吸い込まれる。
【００４７】
吸引孔とガス噴き出し孔の位置関係は、打ち抜き製品の形状、大きさ等に応じ適宜定めることができるが、ガス噴き出し孔が細溝に近い位置で細溝に沿って設けられ、吸引孔はそれよりも細溝から離れた位置（外側）で、細溝に沿って設けられるのが好ましい。ガス噴き出し孔と同様に、切断刃の両側に設けても、片側に設けてもよい。このときガス噴き出し孔と吸引孔との間隔は、打ち抜き製品の形状、大きさ等によって定められる。
【００４８】
母材にガス噴き出し孔と吸引孔の両方を設けた場合、ガス噴き出しと吸引のタイミングは用途に応じて種々選択しうる。例えば、型抜き工程においては、両方を同時に行ってもよいし、抜ききるまで吸引のみを行い抜ききったら噴き出しのみを行うという方法をとってもよい。また、型抜き製品を次工程に搬送するのに用いることもでき、吸引して搬送し、目的位置で噴き出しを行って製品を放すということも可能である。
【００４９】
以下において、本発明の第四抜き型を図面をもとに詳細に説明するが、勿論、本発明は、以下の記載によって限定解釈されるものではない。
図１は、本発明の抜き型により所望の形状Ａに打ち抜かれたシート状物を示す図であり、図２は、本発明の抜き型にはめ込まれる前の所望の形状に配置された状態の切断刃１（凹部を有するものの例）を示す図であり、図１３は本発明の第四の抜き型の一例を示す斜視図であり、図１４（ａ）は図１３のＸ，Ｘ線での部分断面図である。
この抜き型において、母材２は３１〜３３の３層で構成されており、例えば、それぞれベニヤ板などの木製の四角い板状体からなる。最下層３１に吸引室３４が形成され、中間層３２に噴き出しガス室１４が形成されている。母材２の表面（切断刃１の刃先１９側）から、ガス噴き出し孔１８が噴き出しガス室１４に、吸引孔３５が吸引室３４に連通するように開けられている。また、母材中間層３２の側面からガス導入口１７が噴き出しガス室１４に連通しており、吸引口３６が吸引室３４に連通している。切断刃１の内側の噴き出しガス室１４や吸引室３４にも連通させるため、切断刃１の凹部がある箇所に対応してガス導入口１７や吸引口３６が設けられる。抜き型使用時にはガス導入口１７及び吸引口３６にガス供給用もしくは吸引用プラグ等を差し込み、ガス導入口１７にはガス（空気等）の供給を、吸引口３６からは減圧吸引を行う。
この母材２の３層の構造を抜き型の一部を分解した斜視図として図１５（ａ）〜（ｃ）に示した。（ａ）は最下層３１のみの状態を示したものであり、切断刃１をはめ込んだ細溝６と吸引室３４となる溝が形成されている。（ｂ）はその上に中間層３２を重ねた状態を示したものであり、中間層３２には細溝６および噴き出しガス室１４となる溝と、吸引室３４に連通する吸引孔３５が形成されている。（ｃ）は３１〜３３の３層をすべて重ねた状態を示したものであり、最上層３３には、細溝６、吸引孔３５、及びガス噴き出し孔１８が形成されている。
【００５０】
母材２を多層構造にした場合の吸引室３４と噴き出しガス室１４は、別々の層に設けられているのが好ましく、例えば図１４（ｂ）のような位置関係であってもよい。
また、図１４（ｃ）には、切断刃１のほかに設けられた穴あけ用切断刃１’の内部に吸引孔３５を設けた形態を断面図で示した。抜きカス４１は穴あけ用切断刃１’の刃先１９’から吸引室３４内に吸い込まれ、吸引室３４と連通する吸引口から取り出される。図１４（ｃ）において４２は板材であり、切断刃１’が切断作業において母材３１に食い込んでしまうのを防止するために設けたものである。板材４２の材質は例えば鉄、アルミニウム、塩化ビニルなどが挙げられる。
なお、図１４（ｃ）に示した例では、吸引孔３５は打ち抜き製品を吸引するとともに抜きカスを吸い込んで除去するものであるが、穴あけ用切断刃の内部に抜きカス吸引用の吸引孔、吸引室及び吸引口を設け、これとは別に、穴あけ用切断刃のない箇所に打ち抜き製品吸引用の吸引孔を設けてこれと連通する吸引室、吸引口を設け、抜きカスの除去と打ち抜き製品の吸引を別々に行わせる形態も可能である。
【図面の簡単な説明】
【００５１】
【図１】本発明の抜き型の一例で打ち抜かれたシート状物を示す図である。
【図２】本発明の抜き型にはめ込まれる前の所望の形状に配置された状態の切断刃（凹部を有するものの例）を示す斜視図である。
【図３】本発明の第一の抜き型の一例を示す斜視図である。
【図４】（ａ），（ｂ）は、図３に示す抜き型を構成する２枚の母材を示す斜視図である。
【図５】（ａ）は図３のＸ，Ｘ線での切断面図であり、（ｂ）及び（ｃ）は樹脂充填室の形を変えた別の一例を示す切断面図である。
【図６】（ａ）は樹脂充填のためのプレスを行う前の抜き型の状態を示す斜視図であり、（ｂ）はプレスしながら樹脂を充填している状態を示す斜視図である。
【図７】本発明の第二の抜き型の一例を示す斜視図である。
【図８】（ａ），（ｂ）は、図７に示す抜き型を構成する２枚の母材を示す斜視図である。
【図９】（ａ）は図７のＸ，Ｘ線での切断面図であり、（ｂ）は空間部が別の形状である例を示す断面図である。
【図１０】本発明の第二の抜き型の他の一例を示す断面図である。
【図１１】（ａ）は本発明の第三の抜き型の一例を示す拡大断面図であり、（ｂ）は本発明の第三の抜き型の他の一例を示す拡大断面図である。
【図１２】本発明の第一の抜き型において位置決めピンを用いた一例を模式的に示す説明図である。
【図１３】本発明の第四の抜き型の一例を示す斜視図である。
【図１４】（ａ）は図１３のＸ，Ｘ線での断面図、（ｂ）は噴き出しガス室と吸引室の位置を変えた他の一例を示す断面図であり、（ｃ）は穴あけ用切断刃の内部に吸引孔を設けた他の一例を示す断面図である。
【図１５】図１３の抜き型の母材の構成を示す一部分解斜視図である。
【図１６】本発明の第二の抜き型の他の一例を示す斜視図である。
【図１７】図１６の抜き型の母材を示す斜視図である。
【図１８】（ａ）は図１６のＸ，Ｘ線での断面図であり、（ｂ）は管の形状を変えた別の一例を示す断面図であり、（ｃ）は止め具を使用した状態を示す一部断面斜視図である。
【図１９】従来の抜き型を示す斜視図である。
【図２０】（ａ）、（ｂ）は、図１９のＹ，Ｙ線での拡大切断面図である。
【図２１】従来の抜き型を示す平面図である。
【符号の説明】
【００５２】
１，１’切断刃
２，３  母材
４      樹脂充填室
５      樹脂
６，６’細溝
７      樹脂導入孔
７’    脱気及び樹脂流出孔
８      抜き型
９      上プレス定盤
１０    下プレス定盤
１２    第二の母材
１３    第一の母材
１４    空間部（噴き出しガス室）
１５    管
１７    ガス導入口
１８    ガス噴き出し孔
１９，１９’刃先
２０    短い切断刃
２１    ゴム等の弾性体
２２    位置決め用ピン
２３    位置決め用孔
３１    母材最下層
３２    母材中間層
３３    母材最上層
３４    吸引室
３５    吸引孔
３６    吸引口
３７    ガス導入孔
３８    溝
３９    止め具
４０    ビス
４１    抜きカス
４２    板材
【図１】
2005138267.tif 000003
【図２】
2005138267.tif 000004
【図３】
2005138267.tif 000005
【図４】
2005138267.tif 000006
【図５】
2005138267.tif 000007
【図６】
2005138267.tif 000008
【図７】
2005138267.tif 000009
【図８】
2005138267.tif 000010
【図９】
2005138267.tif 000011
【図１０】
2005138267.tif 000012
【図１１】
2005138267.tif 000013
【図１２】
2005138267.tif 000014
【図１３】
2005138267.tif 000015
【図１４】
2005138267.tif 000016
【図１５】
2005138267.tif 000017
【図１６】
2005138267.tif 000018
【図１７】
2005138267.tif 000019
【図１８】
2005138267.tif 000020
【図１９】
2005138267.tif 000021
【図２０】
2005138267.tif 000022
【図２１】
2005138267.tif 000023